(57)【要約】【課題】雨水等貯留浸透施設等をさらに軽量化し、耐震性及び施工性を向上させ、製造及び設置コストを削減する。【解決手段】矩形状の面板２ａと、面板を囲う４辺を有するフレーム２ｂと、面板の中央部に存在する丸みを帯びた八角形状の開口（第１の開口）２ｃと、フレームの各々の角部に対向する開口の各々の縁部２ｅと、角部を挟む一対の辺２ｆの各々との間に介在するリブ（第１のリブ）２ｇとを備える雨水等貯留浸透施設用仕切板２。フレームの各々の角部と、第１のリブとの間に介在する第２のリブ２ｈと、第２のリブと、フレームと、第１のリブで囲繞された面板の各々に、第１の開口より小さい第２の開口２ｉを備えることができ、フレームと、開口の縁部と、第１のリブで囲繞された面板の各々に、第２の開口より小さい第３の開口２ｊを備えることができる。【選択図】図２
2020084497.tif 000002
【特許請求の範囲】
【請求項１】
矩形状の面板と、
該面板を囲う４辺を有するフレームと、
前記面板の中央部に存在する丸みを帯びた八角形状の開口（第１の開口）と、
前記フレームの各々の角部に対向する前記開口の各々の縁部と、前記角部を挟む一対の辺の各々との間に介在するリブ（第１のリブ）とを備えることを特徴とする雨水等貯留浸透施設用仕切板。
【請求項２】
前記フレームの各々の角部と、前記第１のリブとの間に介在する第２のリブと、
該第２のリブと、前記フレームと、前記第１のリブで囲繞された前記面板の各々に、前記第１の開口より小さい第２の開口とを備えることを特徴とする請求項１に記載の雨水等貯留浸透施設用仕切板。
【請求項３】
前記フレームと、前記開口の縁部と、前記第１のリブで囲繞された前記面板の各々に、前記第２の開口より小さい第３の開口を備えることを特徴とする請求項２に記載の雨水等貯留浸透施設用仕切板。
【請求項４】
第１の面板と、
該第１の面板の両側部に設けられる第２及び第３の面板と、
該第２及び第３の面板の各々を囲う４辺を有する２つのフレームと、
該２つのフレームの各々の前記第１の面板とは反対側に設けられる第４及び第５の面板と、
前記第２及び第３の面板の上部に存在する複数の開口（第１の開口）とを備え、
前記第１、第４及び第５の面板に、各々独立した雨水等貯留浸透施設用仕切板のフレームの一辺が対向することを特徴とする雨水等貯留浸透施設用側板。
【請求項５】
前記第１、第４及び第５の面板に、前記第１の開口より小さい複数の第２の開口を備えることを特徴とする請求項４に記載の雨水等貯留浸透施設用側板。
【請求項６】
前記２つのフレームの各々の鉛直方向に延びる２辺の間に介在すると共に、前記第１の開口の上方に位置するリブと、
前記第２及び第３の面板において、前記リブの上方に設けられ、前記第２の開口より小さい複数の第３の開口とを備えることを特徴とする請求項５に記載の雨水等貯留浸透施設用側板。
【請求項７】
請求項１、２又は３に記載の雨水等貯留浸透施設用仕切板と、
該仕切板の前記フレームの高さ方向の辺に直交するように取り付けられる、請求項４、５又は６に記載の雨水等貯留浸透施設用側板と、
前記仕切板の前記フレームの上辺に直交するように取り付けられる天板と、
前記仕切板の前記フレームの下辺に直交するように取り付けられる底板と、
前記仕切板のうち、最前列の仕切板の前方及び最後列の仕切板の後方に対向して取り付けられる遮蔽板とを備えることを特徴とする雨水等貯留浸透施設用構造体。
【請求項８】
請求項７に記載された雨水等貯留浸透施設用構造体を有し、地中に埋設されていることを特徴とする雨水等貯留浸透施設。
【発明の詳細な説明】
【技術分野】
【０００１】
本発明は、雨水等貯留浸透施設用仕切板及び側板、並びにこれらを用いた雨水等貯留浸透施設用構造体及び雨水等貯留浸透施設に関する。
【背景技術】
【０００２】
雨水等貯留浸透施設は、集水した雨水等の貯留空間として地中に構築される雨水等貯留施設と、集水した雨水等を地中で一時的に貯留した後、地中に緩やかに排出して分散浸透させる雨水等浸透施設とを含む。この雨水等貯留浸透施設は、雨水等の有効利用を図ったり、雨水が河川や地下雨水管路網へ急激に流入することにより発生する都市型浸水災害を防止したり、地下水を涵養して地盤沈下を抑止するためなどの目的で地中に埋設される。
【０００３】
上記雨水等貯留浸透施設として、例えば、特許文献１には、扁平状の仕切部材及び側板部材と、これらと凹凸嵌合する面板部材とを備え、貯留浸透能力が高く、機械的強度と軽量性とを兼ね備えた構造体、及び、それらを用いた雨水等貯留浸透施設が開示されている。
【先行技術文献】
【特許文献】
【０００４】
【特許文献１】特許第４５２６３１７号公報
【発明の概要】
【発明が解決しようとする課題】
【０００５】
上記特許文献１に記載の発明も有効であるが、雨水等貯留浸透施設等をさらに軽量化し、耐震性及び施工性も向上させ、製造及び設置コストを削減することが望まれていた。本発明は、このような雨水等貯留浸透施設等を実現することを目的とする。
【課題を解決するための手段】
【０００６】
上記目的を達成するため、本発明は雨水等貯留浸透施設用仕切板であって、矩形状の面板と、該面板を囲う４辺を有するフレームと、前記面板の中央部に存在する丸みを帯びた八角形状の開口（第１の開口）と、前記フレームの各々の角部に対向する前記開口の各々の縁部と、前記角部を挟む一対の辺の各々との間に介在するリブ（第１のリブ）とを備えることを特徴とする。
【０００７】
本発明によれば、第１のリブによって仕切板の強度を確保し、耐震性を向上させながら、第１の開口を従来よりも大きくすることができる。これにより、仕切板の軽量化を図り、通水性を高めることができると共に、作業員が仕切板を通り抜け易くなる。
【０００８】
上記仕切板は、前記フレームの各々の角部と、前記第１のリブとの間に介在する第２のリブと、該第２のリブと、前記フレームと、前記第１のリブで囲繞された前記面板の各々に、前記第１の開口より小さい第２の開口とを備えることができる。第２のリブによって仕切板の強度を高めながら、第２の開口により仕切板をさらに軽量にすることができると共に、仕切板の通水性を高めることができる。
【０００９】
上記仕切板は、前記フレームと、前記開口の縁部と、前記第１のリブで囲繞された前記面板の各々に、前記第２の開口より小さい第３の開口を備えることができ、第３の開口により仕切板をより一層軽量にすることができると共に、仕切板の通水性をより一層高めることができる。
【００１０】
また、本発明は雨水等貯留浸透施設用側板であって、第１の面板と、該第１の面板の両側部に設けられる第２及び第３の面板と、該第２及び第３の面板の各々を囲う４辺を有する２つのフレームと、該２つのフレームの各々の前記第１の面板とは反対側に設けられる第４及び第５の面板と、前記第２及び第３の面板の上部に存在する複数の開口（第１の開口）とを備え、前記第１、第４及び第５の面板に、各々独立した雨水等貯留浸透施設用仕切板のフレームの一辺が対向することを特徴とする。
【００１１】
従来は、側板１枚に対して５枚の仕切板を取り付けていたが、本発明によれば、側板１枚に対して３枚の仕切板を取り付けるようにしたため、側板が取り扱い易くなり、施工性が向上する。また、従来の窓をなくし、複数の開口のみとしたことで強度を確保し、耐震性を向上させながら軽量化を図ることができる。
【００１２】
上記側板は、前記第１、第４及び第５の面板に、前記第１の開口より小さい複数の第２の開口を備えることができ、側板の軽量化と、通水性の向上を図ることができる。
【００１３】
また、上記側板は、前記２つのフレームの各々の鉛直方向に延びる２辺の間に介在すると共に、前記第１の開口の上方に位置するリブと、前記第２及び第３の面板において、前記リブの上方に設けられ、前記第２の開口より小さい複数の第３の開口とを備えることができ、２つのリブによって側板の強度を高めながら、第３の開口により側板をさらに軽量にすることができると共に、側板の通水性をさらに向上させることができる。
【００１４】
さらに、本発明は雨水等貯留浸透施設用構造体であって、上記雨水等貯留浸透施設用仕切板と、該仕切板の前記フレームの高さ方向の辺に直交するように取り付けられる上記雨水等貯留浸透施設用側板と、前記仕切板の前記フレームの上辺に直交するように取り付けられる天板と、前記仕切板の前記フレームの下辺に直交するように取り付けられる底板と、前記仕切板のうち、最前列の仕切板の前方及び最後列の仕切板の後方に対向して取り付けられる遮蔽板とを備えることを特徴とする。
【００１５】
また、本発明は、雨水等貯留浸透施設であって、上記雨水等貯留浸透施設用構造体を有し、地中に埋設されていることを特徴とする。
【００１６】
上記雨水等貯留浸透施設用構造体及び雨水等貯留浸透施設によれば、上記特徴を有する仕切板及び側板を用いることで、軽量化並びに耐震性及び施工性の向上が図られ、製造及び設置コストを削減することもできる。
【発明の効果】
【００１７】
以上のように、本発明によれば、雨水等貯留浸透施設等をさらに軽量化し、耐震性及び施工性を向上させ、製造及び設置コストを削減することができる。
【図面の簡単な説明】
【００１８】
【図１】本発明に係る雨水等貯留浸透施設用構造体を示す分解斜視図である。
【図２】図１に示す仕切板を示す図であって、（ａ）は正面図、（ｂ）は右側面図、（ｃ）は平面図、（ｄ）は斜視図である。
【図３】図１に示す側板を示す図であって、（ａ）は正面図、（ｂ）は右側面図、（ｃ）は平面図、（ｄ）は斜視図である。
【図４】図１に示す雨水等貯留浸透施設用構造体を組み立てた状態を示す斜視図である。
【図５】本発明に係る雨水等貯留浸透施設を示す斜視図である。
【発明を実施するための形態】
【００１９】
次に、本発明を実施するための形態について、図面を参照しながら詳細に説明する。
【００２０】
図１は、本発明に係る雨水等貯留浸透施設用構造体を分解した状態を示し、この構造体１は、（雨水等貯留浸透施設用）仕切板２と、仕切板２のフレーム２ｂの高さ方向の辺に直交するように取り付けられる（雨水等貯留浸透施設用）側板３と、仕切板２のフレーム２ｂの上辺に直交するように取り付けられる天板４（４Ａ、４Ｂ）と、仕切板２のフレーム２ｂの下辺に直交するように取り付けられる底板５と、最前列の仕切板２の前方に対向して取り付けられる遮蔽板６とで構成される。尚、天板４としては、１段の構造体を構成する場合は４Ａを、複数段の構造体を構成する場合は４Ｂを各々用いる。また、最後列の仕切板２の後方に対向して取り付けられる遮蔽板は図示を省略する。上記各部材の材料は樹脂であり、各部材は隣接する部材に係合又は嵌合により互いに結合される。
により
【００２１】
図２に示すように、本発明に係る仕切板２は、矩形状の面板２ａと、面板２ａを囲う４辺を有するフレーム２ｂと、面板２ａの中央部に存在する丸みを帯びた八角形状の開口（第１の開口）２ｃと、フレーム２ｂの各々の角部２ｄに対向する開口２ｃの各々の縁部２ｅと、角部２ｄを挟む一対の辺２ｆの各々との間に介在するリブ（第１のリブ）２ｇとを備える。
【００２２】
また、仕切板２は、フレーム２ｂの各々の角部２ｄと、第１のリブ２ｇとの間に介在するリブ（第２のリブ）２ｈと、リブ２ｇ、２ｈ及びフレーム２ｂで囲繞された面板２ａの各々に、開口２ｃより小さい開口（第２の開口）２ｉとを備える。
【００２３】
さらに、仕切板２は、フレーム２ｂと、開口２ｃの縁部２ｅと、リブ２ｇで囲繞された面板２ａの各々に、開口２ｉより小さい開口（第３の開口）２ｊを備える。
【００２４】
上記構成を有する仕切板２は、紙面上において９０°回転（１／４回転）させても元の図形に重なる、いわゆる４回対称となるように形成される。
【００２５】
この仕切板２は、第１のリブ２ｇによって強度を確保し、耐震性を向上させながら、従来よりも大きな丸みを帯びた八角形状の第１の開口２ｃを備え、軽量化等を図っている。また、第２のリブ２ｈでさらに強度を高め、第２の開口２ｉ、第３の開口２ｊによってさらに軽量化等を図っている。
【００２６】
図３に示すように、本発明に係る側板３は、縦長の矩形状の面板（第１の面板）３ａと、面板３ａの両側部に設けられる、縦長の矩形状の面板（第２及び第３の面板）３ｂ、３ｃと、面板３ｂ、３ｃの各々を囲う４辺を有する２つのフレーム３ｄと、２つのフレーム３ｄの各々の面板３ａとは反対側に設けられる、縦長の矩形状の面板（第４及び第５の面板）３ｅ、３ｆと、面板３ｂ、３ｃの上部に存在する複数の長穴状の開口（第１の開口）３ｇとを備える。
【００２７】
また、側板３は、面板３ａ、３ｅ、３ｆに、全面にわたって開口３ｇより小さい複数の円形の開口（第２の開口）３ｈを備える。
【００２８】
さらに、側板３は、２つのフレーム３ｄの各々の鉛直方向に延びる２辺の間に介在すると共に、開口３ｇの上方に位置するリブ３ｉと、面板３ｂ、３ｃにおいて、リブ３ｉの上方に設けられ、開口３ｈより小さい複数の円形の開口（第３の開口）３ｊとを備える。
【００２９】
後述するように、構造体１を構成する際には、側板３の面板３ａ、３ｅ、３ｆに、各々独立した仕切板２のフレーム２ｂの一辺が対向するように配置される。
【００３０】
従来は、側板１枚に対して５枚の仕切板を取り付けていたが、側板３の１枚に対して３枚の仕切板を取り付けるようにすると共に、１種類の側板３で賄うことができるため、側板３が取り扱い易くなり、施工性が向上する。また、側板３には、従来の窓が存在しないため、強度を確保し、耐震性を向上させながら軽量化等を図ることができ、複数の第２の開口３ｈ、第３の開口３ｊとを備えることでさらに軽量化等を実現している。
【００３１】
図１に示すように、天板４Ａは、通水用の複数の開口４ａと、下面に仕切板２及び側板３と係合する複数の係合部４ｂと、両側部に他の天板４と凹凸嵌合するための嵌合部４ｃ、４ｄと、リブ等で構成される。１枚の天板４Ａに対して２枚（左右１枚ずつ）の側板３が対応する。
【００３２】
天板４Ｂは、天板４Ａの構成に加え、上面側にも係合部４ｅを備え、１枚の天板４Ｂに対して４枚（左右１枚ずつ、上下２段）の側板３が対応する。
【００３３】
底板５は、通水用の複数の開口５ａと、天板４Ａとは逆に上面に仕切板２及び側板３と係合する複数の係合部５ｂと、両側部に他の底板５と凹凸嵌合するための嵌合部５ｃ、５ｄと、リブ等で構成される。１枚の底板５に対して２枚（左右１枚ずつ）の側板３が対応する。
【００３４】
遮蔽板６は、矩形状の面板６ａと、面板６ａを囲う４辺を有するフレーム６ｂと、フレーム６ｂの上辺と下辺の間、及び右辺と左辺の間に介在する複数のリブ６ｃと、通水用の複数の開口６ｄとを備える。
【００３５】
上記構成を有する構造体１を組み立てた状態を図４に示す。同図は、仕切板２を３枚、側板３を２枚（左右１枚ずつ）、天板４Ａを１枚、底板５を１枚とし、最少数の板で構造体１を構成した場合を示す。仕切板２のうち、最前列の仕切板２の前方及び最後列の仕切板２の後方に対向して取り付けられる遮蔽板の図示を省略している。
【００３６】
上記構造体１で構成した雨水等貯留浸透施設を図５に示す。同図に示す雨水等貯留浸透施設１１は、仕切板３（図１参照）等が上下２段にわたって配置され、上段と下段の間には天板４Ｂ（図１参照）が用いられる。また、図示は省略するが、この施設１１には従来の施設と同様に全体を覆う遮水シート（又は浸透シート）や、作業員が施設１１に入るための人孔等が設けられる。
【００３７】
上記構成を有する雨水等貯留浸透施設１１は、地中に埋設され、遮水シートを備える場合には雨水等貯留施設として、浸透シートを備える場合には雨水等浸透施設として各々機能する。
【００３８】
尚、上記実施の形態において、仕切板２の構成について詳しく説明したが、面板２ａ、フレーム２ｂ、開口２ｃ及びリブ２ｇ以外の構成要素については必ずしも設ける必要はなく、その他の各構成要素の形状や配置は適宜変更可能である。また、側板３についても、面板３ａ、３ｂ、３ｃ、３ｅ、３ｆ、フレーム３ｄ及び開口３ｇ以外の構成要素については必ずしも設ける必要はなく、その他の各構成要素の形状や配置は適宜変更可能である。さらに、天板４、底板５及び遮蔽板６の構成はあくまで一例であって、適宜設計変更可能である。
【符号の説明】
【００３９】
１  雨水等貯留浸透施設用構造体
２  仕切板
２ａ  面板
２ｂ  フレーム
２ｃ  開口
２ｄ  角部
２ｅ  縁部
２ｆ  角部２ｄを挟む一対の辺
２ｇ、２ｈ  リブ
２ｉ、２ｊ  開口
３  側板
３ａ、３ｂ、３ｃ  面板
３ｄ  フレーム
３ｅ、３ｆ  面板
３ｇ、３ｈ  開口
３ｉ  リブ
３ｊ  開口
４（４Ａ、４Ｂ）  天板
４ａ  開口
４ｂ  係合部
４ｃ、４ｄ  嵌合部
４ｅ  係合部
５  底板
５ａ  開口
５ｂ  係合部
５ｃ、５ｄ  嵌合部
６  遮蔽板
６ａ  面板
６ｂ  フレーム
６ｃ  リブ
６ｄ  開口
１１  雨水等貯留浸透施設
【図１】
2020084497.tif 000003
【図２】
2020084497.tif 000004
【図３】
2020084497.tif 000005
【図４】
2020084497.tif 000006
【図５】
2020084497.tif 000007